(57)【特許請求の範囲】
【請求項１】
バックライトを備える表示部と、
前記表示部上に配置され、接触点の座標情報を出力するタッチパネルと、
前記接触点の座標情報に基づいて、前記タッチパネルへの接触が一箇所のとき、接触点の周囲を前記バックライトの点灯範囲とし、前記タッチパネルへの接触が二箇所のとき、一箇所目の接触点及び二箇所目の接触点を対角に有する矩形状の範囲、又は、一箇所目の接触点及び二箇所目の接触点を長軸の両端に有する楕円形状の範囲、又は、前記表示部を縦断する左右の縦辺上もしくは横断する上下の横辺上に一箇所目の接触点及び二箇所目の接触点を有する帯形状の範囲を、前記バックライトの点灯範囲とする制御部と、
を備え、
前記制御部は、三箇所目の接触点が前記点灯範囲内か否かを判定し、
三箇所目の接触点が前記点灯範囲内であると、三箇所目の接触点からの接触動作に基づいて、三箇所目の接触点近傍に表示されている表示情報を前記点灯範囲内で移動させ、
三箇所目の接触点が前記点灯範囲外であると、三箇所目の接触点からの接触動作に基づいて、前記点灯範囲内の明るさを変化させる表示装置。
【請求項２】
前記制御部は、一箇所目の接触点の座標情報が入力された後、所定の時間内に二箇所目の接触点の座標情報が入力されるか否かを判定し、前記時間内に二箇所目の接触点の座標情報が入力されると、一箇所目の接触点及び二箇所目の接触点を対角に有する矩形状の範囲、又は、一箇所目の接触点及び二箇所目の接触点を長軸の両端に有する楕円形状の範囲、又は、前記表示部を縦断する左右の縦辺上もしくは横断する上下の横辺上に一箇所目の接触点及び二箇所目の接触点を有する帯形状の範囲を、前記バックライトの点灯範囲とし、前記時間内に二箇所目の接触点の座標情報が入力されないと、一箇所目の接触点の周囲を前記バックライトの点灯範囲とする請求項１に記載の表示装置。
【請求項３】
前記制御部は、二箇所目の接触点の座標情報が入力された後、所定の時間内に三箇所目の接触点の座標情報が入力されるか否かを判定し、
前記時間内に三箇所目の接触点の座標情報が入力されると、三箇所目の接触点が前記点灯範囲内か否かを判定し、
前記時間内に三箇所目の接触点の座標情報が入力されないと、一箇所目の接触点及び二箇所目の接触点を対角に有する矩形状の範囲、又は、一箇所目の接触点及び二箇所目の接触点を長軸の両端に有する楕円形状の範囲、又は、前記表示部を縦断する左右の縦辺上もしくは横断する上下の横辺上に一箇所目の接触点及び二箇所目の接触点を有する帯形状の範囲を、前記バックライトの点灯範囲とする請求項１又は２に記載の表示装置。
【請求項４】
請求項１乃至３のいずれか１項に記載の表示装置を備える電子機器。
【請求項５】
バックライトを備える表示部上に配置されたタッチパネルへの接触によって、一箇所目の接触点の座標情報が入力された後、所定の時間内に二箇所目の接触点の座標情報が入力されるか否かを判定し、
前記時間内に二箇所目の接触点の座標情報が入力されないと、一箇所目の接触点の周囲を前記バックライトの点灯範囲とし、
前記時間内に二箇所目の接触点の座標情報が入力されると、一箇所目の接触点及び二箇所目の接触点を対角に有する矩形状の範囲、又は、一箇所目の接触点及び二箇所目の接触点を長軸の両端に有する楕円形状の範囲、又は、前記表示部を縦断する左右の縦辺上もしくは横断する上下の横辺上に一箇所目の接触点及び二箇所目の接触点を有する帯形状の範囲を、前記バックライトの点灯範囲とし、二箇所目の接触点の座標情報が入力された後、所定の時間内に三箇所目の接触点の座標情報が入力されるか否かを判定し、
前記時間内に三箇所目の接触点の座標情報が入力されると、三箇所目の接触点が前記点灯範囲内か否かを判定し、三箇所目の接触点が前記点灯範囲内であると、三箇所目の接触点からの接触動作に基づいて、三箇所目の接触点近傍に表示されている表示情報を前記点灯範囲内で移動させ、三箇所目の接触点が前記点灯範囲外であると、三箇所目の接触点からの接触動作に基づいて、前記点灯範囲内の明るさを変化させ、
前記時間内に三箇所目の接触点の座標情報が入力されないと、一箇所目の接触点及び二箇所目の接触点を対角に有する矩形状の範囲、又は、一箇所目の接触点及び二箇所目の接触点を長軸の両端に有する楕円形状の範囲、又は、前記表示部を縦断する左右の縦辺上もしくは横断する上下の横辺上に一箇所目の接触点及び二箇所目の接触点を有する帯形状の範囲を、前記バックライトの点灯範囲とする表示装置の点灯範囲制御方法。
【発明の詳細な説明】
【技術分野】
【０００１】
本発明は、表示装置及び電子機器、表示装置の点灯範囲制御方法に関する。
【背景技術】
【０００２】
近年、表示部上にタッチパネルを配置し、使用者が当該タッチパネルの所望の位置に接触することで操作される、携帯電話機、ＰＨＳ（Personal Handyphone System）、ＰＤＡ（Personal Data Assistance，Personal Digital Assistants：個人向け携帯型情報通信機器）等の電子機器が普及している。
【０００３】
このような電子機器は、大画面化の傾向にある。電子機器に搭載される表示部は、当該電子機器に搭載されるデバイスの中でも消費電力が大きく、大画面化に伴い、さらに消費電力が大きくなる傾向にある。
【０００４】
ところで、特許文献１の携帯電話機は、点灯させる範囲と、消灯させる範囲との境界を、当該境界をなぞるように使用者がタッチパネルに連続的に接触することで決定する構成とされている。
【０００５】
また、特許文献２の携帯電話機は、第１及び第２の表示領域の点灯又は消灯を操作する操作キーが、タッチパネルを介して操作される構成とされている。
【先行技術文献】
【特許文献】
【０００６】
【特許文献１】特開２０１０−１３０１５９号公報
【特許文献２】特開平９−６２１９８号公報
【発明の概要】
【発明が解決しようとする課題】
【０００７】
特許文献１の携帯電話機は、タッチパネルにおける所望の境界部分を使用者が指等で連続的に接触しないと、境界を決定することができず、操作が煩雑である。
特許文献２の携帯電話機は、使用者が意図した範囲を点灯させることができない。
【０００８】
本発明の目的は、上述した課題を解決する表示装置及び電子機器、表示装置の点灯範囲制御方法を提供することにある。
【課題を解決するための手段】
【０００９】
本発明の一形態に係る表示装置は、表示部と、前記表示部上に配置され、接触点の座標情報を出力するタッチパネルと、前記接触点の座標情報に基づいて、前記タッチパネルへの接触が一箇所のとき、接触点の周囲を点灯範囲とし、前記タッチパネルへの接触が二箇所のとき、一箇所目の接触点と二箇所目の接触点とで挟む範囲を点灯範囲とする制御部と、を備える。
本発明の一形態に係る電子機器は、上述の表示装置を備える。
【００１０】
本発明の一形態に係る表示装置の制御方法は、表示部上に配置されたタッチパネルへの接触によって、一箇所目の接触点の座標情報が入力された後、所定の時間内に二箇所目の接触点の座標情報が入力されるか否かを判定し、前記時間内に二箇所目の接触点の座標情報が入力されると、一箇所目の接触点と二箇所目の接触点とで挟む範囲を点灯範囲とし、前記時間内に二箇所目の接触点の座標情報が入力されないと、一箇所目の接触点の周囲を点灯範囲とする。
【発明の効果】
【００１１】
本発明によれば、簡単な操作で使用者が意図した範囲を点灯させることができる表示装置及び電子機器、表示装置の点灯範囲制御方法を提供することができる。
【図面の簡単な説明】
【００１２】
【図１】本発明の実施の形態１に係る表示装置を概略的に示すブロック図である。
【図２】本発明の実施の形態１に係る表示装置における、表示部及びタッチパネルの配置関係を概略的に示す図である。
【図３】接触点が一箇所の場合における矩形状の点灯範囲を示す図である。
【図４】接触点が一箇所の場合における楕円形の点灯範囲を示す図である。
【図５】接触点が一箇所の場合における帯形状の点灯範囲を示す図である。
【図６】接触点が一箇所の場合における異なる帯形状の点灯範囲を示す図である。
【図７】接触点が二箇所の場合における矩形状の点灯範囲を示す図である。
【図８】接触点が二箇所の場合における楕円形の点灯範囲を示す図である。
【図９】接触点が二箇所の場合における帯形状の点灯範囲を示す図である。
【図１０】接触点が二箇所の場合における異なる帯形状の点灯範囲を示す図である。
【図１１】本発明の実施の形態１に係る表示装置の点灯範囲制御方法の動作フローチャート図である。
【図１２】本発明の実施の形態１に係る異なる表示装置を概略的に示すブロック図である。
【図１３】本発明の実施の形態２に係る表示装置の点灯範囲制御方法の動作フローチャート図である。
【図１４】接触点が三箇所の場合における表示部の表示動作を示す図である。
【図１５】接触点が三箇所の場合における表示部の点灯動作を示す図である。
【図１６】接触点が一箇所の場合における表示部の消灯動作を示す図である。
【発明を実施するための形態】
【００１３】
本発明の実施の形態に係る表示装置及び電子機器、表示装置の点灯範囲制御方法について説明する。但し、本発明が以下の実施の形態に限定される訳ではない。また、説明を明確にするため、以下の記載及び図面は、適宜、簡略化されている。
＜実施の形態１＞
【００１４】
先ず、本実施の形態に係る表示装置の最小限構成について説明する。表示装置は、電子機器のデバイスを成し、図示を省略した筐体内に搭載される。図１に示す表示装置１００は、表示部１、タッチパネル２、制御部３、記憶部４を備える。ちなみに、本実施の形態の制御部３及び記憶部４は、表示装置１００の機能を実現するだけでなく、電子機器の機能を実現する。但し、制御部３及び記憶部４は、表示装置１００の機能のみを実現する構成でも良い。
【００１５】
表示部１は、部分的に表示可能な表示装置であって、記憶部４に格納されている情報等を表示する。すなわち、表示部１は、図２に示すように、例えば液晶パネル１１と、液晶パネル１１の下方に配置されるバックライト１２と、を備え、バックライト１２が部分的に点灯可能な構成とされている。但し、表示部１は、無機ＥＬ（Electro-Luminescence）表示装置や有機ＥＬ表示装置等でも構成できる。この表示部１は、筐体の開口部からタッチパネル２で覆われた状態で露出している。
【００１６】
タッチパネル２は、図２に示すように、表示部１の表示面上に配置されている。タッチパネル２は、一般的なタッチパネルを用いることができ、マトリックススイッチ、抵抗膜方式、表面弾性波方式、静電容量方式等のタッチパネルを用いることができる。このタッチパネル２は、使用者がタッチペン５等で又は指等で所望の位置に接触すると、接触した点の座標情報を制御部３に出力する。
【００１７】
制御部３は、記憶部４に格納されているプログラムに基づいて、例えば携帯電話機としての機能を実現すると共に、記憶部４に格納されている情報等を表示するために液晶パネル１１及びバックライト１２を制御する。
【００１８】
このとき、制御部３は、例えば表示部１の全面が点灯状態において、使用者が表示部１に表示されている部分点灯モードをタッチパネル２を介して選択すると、その後、タッチパネル２から入力される座標情報に基づいて、バックライト１２の点灯動作を制御する。
【００１９】
詳細には、制御部３は、使用者が部分点灯モードを選択後にタッチパネル２への接触が一箇所のとき、図３乃至図６に示すように接触点Ａの周囲が点灯範囲Ｒとなり、他の範囲が消灯範囲Ｓとなるように、バックライト１２を制御する。
【００２０】
例えば、図３の形態では、接触点Ａを重心位置（対角線と対角線との交点）に配置した矩形状の範囲を点灯範囲Ｒとしている。また、図４の形態では、接触点Ａを重心位置（長軸と短軸との交点）に配置した楕円形状の範囲を点灯範囲Ｒとしている。これらの点灯範囲Ｒは、表示部１に表示する情報の種類などに応じて適宜設定される。
【００２１】
また、図５の形態では、表示部１を縦断し、接触点Ａを含む帯形状の範囲を点灯範囲Ｒとしている。例えば、図５の形態では、接触点ＡのＸ軸上の座標位置から所定の数値がそれぞれ加算又は減算された座標位置からＹ軸と平行に延在する線が点灯範囲Ｒと消灯範囲Ｓとを分ける境界線となる。
【００２２】
さらに、図６の形態では、表示部１を横断し、接触点Ａを含む帯形状の範囲を点灯範囲Ｒとしている。例えば、図６の形態では、接触点ＡのＹ軸上の座標位置から所定の数値がそれぞれ加算又は減算された座標位置からＸ軸と平行に延在する線が点灯範囲Ｒと消灯範囲Ｓとを分ける境界線となる。
【００２３】
なお、これらの所定の数値は、表示部１に表示される情報の種類等に応じて適宜設定される。また、接触点ＡのＸ軸又はＹ軸上の座標位置からＹ軸又はＸ軸と平行に延在する線と、接触点ＡのＸ軸又はＹ軸上の座標位置から所定の数値が加算又は減算された位置からＹ軸又はＸ軸と平行に延在する線と、を点灯範囲Ｒと消灯範囲Ｓとを分ける境界線としても良い。要するに、接触点Ａから導出できる形状であれば、特に限定されない。
【００２４】
一方、制御部３は、使用者が部分点灯モードを選択後にタッチパネル２への接触が二箇所のとき、図７乃至図１０に示すように当該接触点Ａ、Ｂで挟む範囲が点灯範囲Ｒとなり、他の範囲が消灯範囲Ｓとなるように、バックライト１２を制御する。
【００２５】
例えば、図７の形態では、接触点Ａ、Ｂを対角に有する矩形状の範囲を点灯範囲Ｒとしている。また、図８の形態では、長軸の両端に接触点Ａ、Ｂを有する楕円形状の範囲を点灯範囲Ｒとしている。
【００２６】
また、図９の形態では、表示部１を縦断し、左右の縦辺（Ｙ軸と平行に延在する辺）上に接触点Ａ、Ｂを有する帯形状の範囲を点灯範囲Ｒとしている。つまり、接触点Ａ、ＢにおけるＸ軸上の座標位置からそれぞれＹ軸と平行に延在する線が点灯範囲Ｒと消灯範囲Ｓとを分ける境界線となる。
【００２７】
さらに、図１０の形態では、表示部１を横断し、上下の横辺（Ｘ方向に延在する辺）上に接触点Ａ、Ｂを有する帯形状の範囲を点灯範囲Ｒとしている。つまり、接触点Ａ、ＢにおけるＹ軸上の座標位置からＸ軸と平行に延在する線が点灯範囲Ｒと消灯範囲Ｓとを分ける境界線となる。
【００２８】
なお、これらの所定の数値は、表示部１に表示される情報の種類等に応じて適宜設定される。要するに、接触点Ａ、Ｂから導出できる形状であれば、特に限定されない。
【００２９】
次に、上記構成の表示装置１００の動作を、図１１に基づいて説明する。
先ず、制御部３は、予め表示部１に部分点灯モードを選択する選択キーを表示させる。使用者は、タッチパネル２を介して当該選択キーを選択すると、制御部３は全点灯モードから部分点灯モードに変更する。これが点灯範囲制御のスタートとなる。
【００３０】
そして、制御部３は、使用者がタッチパネル２に接触したか否かを判定する（Ｓ１）。すなわち、制御部３は、点灯範囲制御がスタートしてから、所定の時間が経過するまでに、タッチパネル２から座標情報が入力されたか否かを判定する。制御部３は、所定の時間が経過するまでに、タッチパネル２から座標情報が入力されないと、バックライト１２を全消灯するように、バックライト１２を制御する（Ｓ２）。その後、制御部３は、再びステップＳ１に戻る。
【００３１】
一方、制御部３は、所定の時間が経過するまでに、タッチパネル２から座標情報が入力されると、最初に座標情報が入力された後、所定の時間が経過するまでに、次の座標情報が入力されるか否かを判定する（Ｓ３）。制御部３は、所定の時間が経過するまでに、次の座標情報が入力されないと、上述したように最初に接触された座標位置（接触点Ａ）の周囲が点灯領域となるように当該点灯範囲を導出し（Ｓ４）、その点灯範囲が点灯し、他の範囲が消灯範囲となるように、バックライト１２を制御する（Ｓ５）。その後、制御部３は、再びステップＳ１に戻る。
【００３２】
一方、制御部３は、所定の時間が経過するまでに、次の座標情報が入力されると、上述したように最初に接触された座標位置（接触点Ａ）と、次に接触された座標位置（接触点Ｂ）とで挟む範囲が点灯範囲となるように当該点灯範囲を導出し（Ｓ６）、その点灯範囲が点灯し、他の範囲が消灯範囲となるように、バックライト１２を制御する（Ｓ７）。その後、制御部３は、再びステップＳ１に戻る。
【００３３】
このように使用者がタッチパネル２の所望の一箇所又は二箇所接触するだけで、簡単に所望の範囲を点灯範囲Ｒとすることができる。これにより、表示部１が消費する電力を削減することができ、電子機器に搭載するバッテリを小型化することができる。また、バッテリの小型化により、電子機器の小型化、軽量化を実現することができる。
【００３４】
次に、表示装置の好ましい構成を説明する。
このとき、表示装置の構成自体は、同様であるが、図１２に示すように、制御部３は、ＣＰＵ３１、パネル制御部３２、点灯制御部３３、座標検出部３４を備え、記憶部４は、ＲＯＭ４1、作業用メモリ４２を備えることが好ましい。
【００３５】
ＣＰＵ３１は、ＲＯＭ４１に格納されているプログラムを実行するための演算装置である。詳細には、ＣＰＵ３１は、ＲＯＭ４１から読み出したプログラムの処理に基づいて、アプリケーションを起動させ、使用者がタッチパネル２に接触した際に座標検出部３４が導出した接触点を示す信号に基づいて、ＲＯＭ４１や作業用メモリ４２から読み出した所定の情報を表示部１に表示させたり、表示範囲を変更させたりするように、パネル制御部３２や点灯制御部３３に指示信号を出力する。また、ＣＰＵ３１は、使用者がタッチパネル２に接触した際に座標検出部３４が導出した接触点を示す情報に基づいて、点灯制御部３３に点灯範囲を制限させる指示信号を出力したりする。
【００３６】
このＣＰＵ３１は、バス６を介して各部と接続されている。
パネル制御部３２は、ＣＰＵ３１から入力される指示信号に基づいて、ＲＯＭ４１や作業用メモリ４２に格納されている情報を表示部１に表示させたり、表示範囲を変更させたりするための液晶パネル１１の制御信号を生成し、当該制御信号を液晶パネル１１に出力する。液晶パネル１１は、入力された制御信号に基づいて制御される。
【００３７】
点灯制御部３３は、ＣＰＵ３１から入力される指示信号に基づいて、ＲＯＭ４１や作業用メモリ４２に格納されている情報を表示部１に表示させたり、表示範囲を変更させたり、点灯範囲を制限させたりするためのバックライト１２の制御信号を生成し、当該制御信号をバックライト１２に出力する。バックライト１２は、入力された制御信号に基づいて制御される。
【００３８】
座標検出部３４は、バックライト１２から入力される座標情報を示す信号に基づいて、接触点を示す信号を導出し、当該接触点を示す信号をＣＰＵ３１に出力する。
【００３９】
＜実施の形態２＞
実施の形態１の表示装置及び電子機器、表示装置の点灯範囲制御方法は、タッチパネル２への接触点が二箇所までを想定しているが、本実施の形態の表示装置及び電子機器、表示装置の点灯範囲制御方法は、タッチパネル２への接触点が三箇所の場合を想定している。
【００４０】
すなわち、本実施の形態の表示装置及び電子機器、表示装置の点灯範囲制御方法は、実施の形態１の表示装置及び電子機器、表示装置の点灯範囲制御方法と略同様であるが、本実施の形態の制御部は、二箇所目の座標情報が入力された後に、三箇所目の座標情報が入力されると、一箇所目及び二箇所目の座標情報だけでなく、三箇所目の座標情報に基づいて、液晶パネル１１及びバックライト１２を制御する。
【００４１】
詳細には、表示装置は、図１３に示すように動作する。但し、二箇所目の座標情報が制御部に入力され、一箇所目の座標情報と二箇所目の座標情報とに基づいて、所望の範囲を点灯範囲とする工程までは、実施の形態１の表示装置と同様であるため、省略する。
【００４２】
制御部は、一箇所目の座標位置（接触点Ａ）と二箇所目の座標位置（接触点Ｂ）とで挟む範囲が点灯範囲となるようにバックライト１２を制御した後、所定の時間が経過するまでに、三箇所目の座標情報が入力されたか否かを判定する（Ｓ８）。制御部は、所定の時間が経過するまでに、三箇所目の座標情報が入力されないと、一箇所目の座標位置と二箇所目の座標位置とで挟む範囲を点灯範囲としつつ、ステップＳ１に戻る。
【００４３】
一方、制御部は、所定の時間が経過するまでに、三箇所目の座標情報が入力されると、三箇所目の座標位置（接触点Ｃ）が一箇所目の座標位置と二箇所目の座標位置とで挟む点灯範囲内か否かを判定する（Ｓ９）。制御部は、三箇所目の座標位置が点灯範囲内であると、図１４に示すように、三箇所目の座標位置からのタッチパネル２への接触動作に基づいて、三箇所目の座標位置近傍の表示情報を当該点灯範囲内で移動させるように、液晶パネル１１及びバックライト１２を制御する（Ｓ１０）。つまり、使用者が例えばタッチペン５をタッチパネル２に接触した状態で、三箇所目の座標位置から上方に接触点を移動させると、当該表示情報を上方に移動させ、三箇所目の座標位置から下方に接触点を移動させると、当該表示情報を下方に移動させる。その後、制御部は、再びステップＳ１戻る。
【００４４】
一方、制御部は、三箇所目の座標位置が点灯範囲内にないと、図１５に示すように、三箇所目の座標位置からのタッチパネル２への接触動作に基づいて、点灯範囲内の明るさが変更するように、バックライト１２を制御する（Ｓ１１）。つまり、使用者が例えばタッチペン５をタッチパネル２に接触した状態で、三箇所目の座標位置から上方に接触点を移動させると、点灯範囲内の明るさを明るくし、三箇所目の座標位置から下方に接触点を移動させると、点灯範囲内の明るさを暗くする。その後、制御部は、再びステップＳ１戻る。
【００４５】
このように使用者のタッチパネル２への三箇所目の接触に基づいて、簡単に表示情報を移動させたり、点灯範囲内の明るさを変更させたりすることができる。
【００４６】
本発明は上記実施の形態に限られたものではなく、趣旨を逸脱しない範囲で適宜変更することが可能である。
上記実施の形態では、タッチパネル２への一箇所目の接触点の周囲を点灯範囲としているが、図１６に示すように、タッチパネル２への一箇所目の接触によって、全消灯させても良い。
上記実施の形態では、表示装置を電子機器に搭載したが、表示装置が搭載される装置は電子機器に限らない。
【符号の説明】
【００４７】
１  表示部、１１  液晶パネル、１２  バックライト
２  タッチパネル
３  制御部、３２  パネル制御部、３３  点灯制御部、３４  座標検出部
４  記憶部、４１  ＲＯＭ、４２  作業用メモリ
５  タッチペン
６  バス
１００  表示装置
Ａ〜Ｄ  接触点
Ｒ  点灯範囲
Ｓ  消灯範囲
【図１】
0005796306.tif 000002
【図２】
0005796306.tif 000003
【図３】
0005796306.tif 000004
【図４】
0005796306.tif 000005
【図５】
0005796306.tif 000006
【図６】
0005796306.tif 000007
【図７】
0005796306.tif 000008
【図８】
0005796306.tif 000009
【図９】
0005796306.tif 000010
【図１０】
0005796306.tif 000011
【図１１】
0005796306.tif 000012
【図１２】
0005796306.tif 000013
【図１３】
0005796306.tif 000014
【図１４】
0005796306.tif 000015
【図１５】
0005796306.tif 000016
【図１６】
0005796306.tif 000017